(57)【特許請求の範囲】
【請求項１】
搬送手段によって波型に変形した紙幣をスタックガイドに沿わせて搬送し、搬送された紙幣を立位にスタックする紙幣取扱装置において、
前記スタックガイドに設けられた平坦部と、この平坦部の下流側に取り付けられた除電部とを備え、この除電部は凹凸形状からなるガイド部の前記凹部に形成されていることを特徴とする紙幣取扱装置。
【請求項２】
請求項１記載の紙幣取扱装置において、前記除電部の厚さは前記収納ガイドの凹凸部の段差より、少なくとも薄いことを特徴とする紙幣取扱装置。
【請求項３】
請求項１記載の紙幣取扱装置において、前記除電部の表面高さは前記収納ガイドに設けられた凹凸部の凸部の高さよりも低いことを特徴とする紙幣取扱装置。
【請求項４】
請求項１記載の紙幣取扱装置において、前記除電部は不織布からなることを特徴とする紙幣取扱装置。
【発明の詳細な説明】
【０００１】
【発明の属する技術分野】
本発明は、紙幣取扱装置に関するものであり、特に紙幣が帯電するために起こる障害の低減に関するものである。
【０００２】
【従来の技術】
特開平２−１７５５５８号公報に記載の紙葉類処理装置では、ローラで挟持された紙葉類が一次集積庫に集積される際に、ガイド部材に紙葉類がこすれてガイド部材の帯電を防止するものである。
【０００３】
【発明が解決しようとする課題】
しかしながら特開平２−１７５５５８号公報に記載の従来技術では、紙葉類の表面の電荷を除去することについて考慮されていない。
【０００４】
紙幣の表面の電荷は、上記のガイドやベルトとの摩擦帯電によって発生している。本電荷は数十ｎＣ程度で決して大きな電荷量ではないため、アースされたガイドに接触しても、電荷に移動は困難であり、むしろ、摩擦帯電しない程度の効果しか望めない。
【０００５】
そこで、従来より、除電するためには、電荷が集中するような工夫を行っていた。たとえば、線状の金属またはプラスチックのブラシの先端に紙幣表面の近傍に位置するようにすることにより、該先端に電荷の集中が起こり、放電現象が発生することで、電荷の除去がなされている。
【０００６】
しかし、特開平２−１７５５５８号公報に記載の従来技術では、該電荷の集中や放電に関して、何ら考慮されていない。
【０００７】
本発明の目的は、しわや折れや破れなどの紙幣を取り扱う紙幣取扱装置において、帯電した紙幣による障害を低減した紙幣取扱装置を提供することにある。
【０００８】
【課題を解決するための手段】
上記目的は、搬送手段によって波型に変形した紙幣をスタックガイドに沿わせて搬送し、搬送された紙幣を立位にスタックする紙幣取扱装置において、
前記スタックガイドに設けられた平坦部と、この平坦部の下流側に取り付けられた除電部とを備え、この除電部は凹凸形状からなるガイド部の前記凹部に形成されていることにより達成される。
【０００９】
【発明の実施の形態】
以下、本発明の一実施態様を図１より説明する。図１は本発明を適応する紙幣取扱い装置１１である。
【００１０】
紙幣取扱い装置１１は、紙幣の挿入放出を行う挿入放出機構１と、搬送されている紙幣の厚さを検出する２枚検知機構２と、紙幣の真偽を判定する鑑別部３と、紙幣を一時的にテープに巻きとる一時スタック４と、鑑別部３で偽ものや損券として判断された紙幣を格納するリジェクトボックス５と、挿入放出機構１で放出された紙幣を顧客が取り忘れた場合に紙幣を格納する取り忘れ回収ボックス６と、紙幣をスタックおよびスタックした紙幣を一枚づつ分離するリサイクルボックス９，１０と、紙幣の補充および回収を行う紙幣カセット８と、装填時に発生した損券を回収する回収ボックス７から成っている。
【００１１】
図２は本発明を適応する紙幣取扱い装置１１のリサイクルボックス２０である。紙幣をボックスの外に分離搬送するために一部が摩擦係数の高い部材でできている分離ローラ２３と、紙幣に面外変形である波形変形を与えるフィードローラ２６と、２枚以上の紙幣の搬送を防止するためのゲートローラ２４と、紙幣をスタックするために紙幣をボックス内に案内するスタックガイド２２と、前記分離ローラ２３に適切な押圧力を加えるための押板２９と、底板３３と、上板２８と、立位でスタックされた紙幣４０を搬送するための搬送ベルト３２と、該ベルト３２を双方向に送るための歯車３０，３１と、スタック時に紙幣が適切にスタックするために紙幣に押すための弾性を有するシートで構成されたシートローラ２５と、同じく紙幣をスタックするためのスタック空間を確保するために、紙幣を送るための弾性を有するシートで構成されたシートローラ２１とによって構成されている。
【００１２】
図３から図６を用いて、本発明の一実施例である紙幣のスタック動作における除電方法を説明する。
【００１３】
スタック動作は、フィードローラ２６とゲートローラ２４の間を紙幣４１がA方向に搬送されてくる。シートローラ２５は紙幣４１の進入を妨害しないように、弾性シートを搬送路から退避した状態で待機している（図３）。
【００１４】
紙幣４１はフィードローラ２６とゲートローラ２４によって波形に変形されて剛性を高めた状態でスタックガイド２２に衝突するように進入する。さらに、搬送すると、スタックガイド２２の平坦部に接触して、該変形が平らになる。平らになった紙幣はさらに搬送されて、所定の距離で除電層として除電用不織布（アクリロニトリル‐硫化銅複合繊維、炭素繊維、金属蒸着繊維、ポリアセチレン繊維、ポリピロール繊維などの導電性繊維によって製造された布）の近傍を通過する。帯電した紙幣と除電層との間に放電が起こり、紙幣は除電される（図４）。
【００１５】
紙幣は波形の変形を与えることにより剛性が高まり、スタックガイド２２に沿ってリサイクルボックス２０内に取り込まれるが、帯電したままではフィードローラ２６とゲートローラ２４による挟持状態が解除されるとスタックガイド２２や他の紙幣などに静電吸着する恐れがある。また、フィードローラ２６とゲートローラ２４で波形変形を与えたままで除電しようとすると、紙幣表面を広い範囲で除電することは困難である。
【００１６】
そこで紙幣に搬送剛性を与えつつ、紙幣の表面電位を除去するために、ガイドに沿って波形変形された紙幣を搬送するときに、その波型変形をスタックガイド２２の平坦部で減らして除電部が適切に紙幣の表面電荷を除去する様にガイドする。
【００１７】
さらに搬送された紙幣４１はスタックに使うためのシートローラ２１のシートに衝突し、はたかれる（図５）。
【００１８】
シートローラ２１によって、押された紙幣４１はすでにスタックされている紙幣４０に向かって送られる（図６）。
【００１９】
図７に、フィードローラ２６とゲートローラ２４によって、波形に変形される紙幣４１を搬送方向の下流から見た図を示す。本図に示すように、フィードローラ２６とゲートローラ２４がオーバーラップ部５１を形成しているために、紙幣４１は４つの山の波形に変形される。該変形によって、紙幣４１はフィードローラ２６やゲートローラ２４に巻き付くことなく、搬送される。
【００２０】
図８に、本発明の一実施例のスタックガイド２２の斜視図を示す。スタックガイド２２は、主にフィードローラ２６の近傍において、紙幣ジャムを防止するガイド部２２ｃと該フィードローラ２６で波形変形されて、搬送られた紙幣を平らにするための平坦なガイド部２２ａと、搬送方向に対し直交する方向に凹凸形状のガイド部２２ｂとによって形成されている。ガイド２２の凹凸形状のガイド部２２ｂの凹部には除電用不織布等によって除電層５０ａが形成されている。
【００２１】
除電層５０ａの厚さは少なくとも、ガイド２２ｂの凹凸部の段差より、小さい必要がある。除電層５０ａは不織布等でできているため、少なくとも紙幣との摩擦係数は大きい。そのため紙幣が除電層５０ａに衝突すれば、ジャムが発生する。
【００２２】
ガイド２２で一旦、ジャムが発生すると、後続する紙幣もジャムすることになる。ジャムした紙幣はフィードローラ２６とゲートローラ２４のオーバラップ部５１に滞留する。オーバラップ部５１のオーバーラップ量（ｍｍ）は、少なくとも０．０８［ｍｍ］〜０．３２［ｍｍ］に管理されている。約０．１［ｍｍ］程度の紙幣が数枚重なった状態や、折れた状態でオーバラップ部５１に滞留することが、前記オーバーラップ量（ｍｍ）を大きくしてしまうため、ガイド２２におけるジャム発生は、装置の信頼性確保において、致命的障害となる。
【００２３】
ガイド２２の材質としては、プラスチック材料等の成形が容易な、材料であり、かつ、導電性を有するものが良い。たとえば、カーボン混入のポリフェニレンカーボノイド（PPO）や、カーボン混入のアクリロニトリルブラジエンスチレン（ABS）などが良い。
【００２４】
また、電気抵抗としては、１０9Ω〜１０11Ωがもっとも望ましい。ただ、電気抵抗が低い材料、たとえば、電気抵抗が１０2Ω以下では、除電層５０ａの効果が得られにくい。
【００２５】
図９から図１１を用いて、本発明の動作を説明する。搬送されてきた紙幣４１は、オーバーラップ部５１により波形変形部４１ａと平坦部４１ｂが形成される（図９）。
【００２６】
さらに搬送されると、紙幣４１は前記ガイド２２の平坦部２２ａに衝突変形して、先頭が平坦化した平坦部分４１ｃが形成される（図１０）。
【００２７】
そして、さらに搬送が進むと、平坦部分４１ｃは紙幣４１の搬送方向Ａにおける上流に移る（図１１）。紙幣はスタックガイド２２のガイド部２２ａにより除電層５０ａと適切な距離を保ったまま表面電荷が放電される。
【００２８】
なお、帯電した紙葉類を除電するために、搬送方向にわたって紙葉類を案内するリブと除電層によって形成される案内ガイドで紙葉類を搬送させる特開平１１−１８０６１１号公報に記載の従来技術があるが、紙幣が面外方向に変形した状態で搬送された場合における除電層と紙の間のジャムについて考慮されていない。
【００２９】
これは特開平１１−１８０６１１号公報に記載の従来技術が画像形成装置に関する技術であり、平坦な紙葉類を対象に除電を行うものであるからである。
【００３０】
以上により本発明の実施態様によれば、平な状態からしわや折れ、破れの状態が存在する紙幣の搬送では、搬送方向の剛性を高めるために、面外変形として波形に該紙幣を変形させながら搬送する。その変形に対して、除電部とのジャムをさけるために、一旦、平坦なガイドに紙幣を衝突させて、該紙幣を平らにさせた状態で、除電層の近傍を搬送することで、ジャムを防止しつつ除電することができる。
【００３１】
【発明の効果】
本発明によれば、波形変形等の面外変形し、帯電した紙幣をジャム防止しながら、帯電防止することができる。
【図面の簡単な説明】
【図１】本発明の一実施例の紙幣取扱い装置を説明する説明図である。
【図２】本発明の一実施例の紙幣還流庫を説明する説明図である。
【図３】本発明の一実施例の紙幣還流庫を説明する説明図である。
【図４】本発明の一実施例の紙幣還流庫を説明する説明図である。
【図５】本発明の一実施例の紙幣還流庫を説明する説明図である。
【図６】本発明の一実施例の紙幣還流庫を説明する説明図である。
【図７】紙幣の波形変形説明図である。
【図８】本発明の一実施例の紙幣スタックガイドを説明する説明図である。
【図９】本発明の一実施例の紙幣スタックガイドを説明する説明図である。
【図１０】本発明の一実施例の紙幣スタックガイドを説明する説明図である。
【図１１】本発明の一実施例の紙類葉スタックガイドを説明する説明図である。
【符号の説明】
１１…紙幣取扱装置、１…挿入放出機構、３…案内ガイド、４…一時スタック機構、５…リジェクトボックス、６…取り忘れ回収ボックス、２…2枚検知機構、３…鑑別部、７…回収ボックス、８…装填ボックス、９、１０…リサイクルボックス（還流庫）、２０…リサイクルボックス、２１…シートローラローラ、２３…ピックアップローラ、２２…スタックガイド、２２ａ…スタックガイドの平坦部、２２ｂ…スタックガイドの凹凸部、２２ｃ…スタックガイドの曲面部、２４…ゲートローラ、２４ａ…ゲートローラ回転軸、２５…シートローラ、２６…フィードローラ、２６ａ…フィードローラ回転軸、２８…上板、２９…押板、３０、３１…ベルト搬送ローラ、３２…ベルト、３３…底板、４０、４１…紙幣、４１ａ…紙幣の面外変形部、４１ｂ…紙幣の平坦部、４１ｃ…紙幣の平坦化進行部、４１ａ…紙幣の面外変形部、５１…紙幣の波形変形部、５０ａ…除電層、５０ｂ…除電層。
【図１】
0003721953.tif 000002
【図２】
0003721953.tif 000003
【図３】
0003721953.tif 000004
【図４】
0003721953.tif 000005
【図５】
0003721953.tif 000006
【図６】
0003721953.tif 000007
【図７】
0003721953.tif 000008
【図８】
0003721953.tif 000009
【図９】
0003721953.tif 000010
【図１０】
0003721953.tif 000011
【図１１】
0003721953.tif 000012